(57)【特許請求の範囲】
【請求項１】
幹線と沈砂池との間に設けられた流入渠設備であって、
流入渠本体の水平且つ平坦な底面の上に、沈降した砂などを沈砂池へ向けて搬送する搬送装置を設けると共に、該搬送装置が、流入渠本体に形成された案内溝であることを特徴とする流入渠設備。
【請求項２】
幹線と沈砂池との間に設けられた流入渠設備であって、
流入渠本体の水平且つ平坦な底面の上に、沈降した砂などを沈砂池へ向けて搬送する搬送装置を設けると共に、該搬送装置が、流入渠本体に形成されたＶ字断面の傾斜面であることを特徴とする流入渠設備。
【請求項３】
幹線と沈砂池との間に設けられた流入渠設備であって、
流入渠本体の水平且つ平坦な底面の上に、沈降した砂などを沈砂池へ向けて搬送する搬送装置を設けると共に、該搬送装置が、流入渠本体に設けられた集砂ノズルであることを特徴とする流入渠設備。
【請求項４】
流入渠本体に案内溝が設けられ、該案内溝の両側部にＶ字断面の傾斜面が設けられたことを特徴とする請求項１または２記載の流入渠設備。
【請求項５】
流入渠本体に案内溝が設けられ、該案内溝に前記集砂ノズルが設けられたことを特徴とする請求項１または３記載の流入渠設備。
【請求項６】
流入渠本体にＶ字断面の傾斜面が設けられ、該傾斜面に前記集砂ノズルが設けられたことを特徴とする請求項２または３記載の流入渠設備。
【請求項７】
流入渠本体に案内溝が設けられ、該案内溝の両側部にＶ字断面の傾斜面が設けられ、前記案内溝に前記集砂ノズルが設けられたことを特徴とする請求項１乃至３のいずれか１項に記載の流入渠設備。
【請求項８】
前記傾斜面の少なくとも流入渠本体入側における、水平方向を基準とする傾斜角度が４５゜以上であることを特徴とする請求項２、４または６乃至７のいずれか１項に記載の流入渠設備。
【請求項９】
前記傾斜面の出側の水平方向を基準とする傾斜角度を、入側の水平方向を基準とする傾斜角度よりも小さくしたことを特徴とする請求項２、４または６乃至８のいずれか１項に記載の流入渠設備。
【発明の詳細な説明】
【０００１】
【発明の属する技術分野】
この発明は、流入渠設備に関するものである。
【０００２】
【従来の技術】
一般に、下水処理施設には、下水処理を行う下水処理設備と自然流下で下水処理設備に送水することが不可能な際に設けられるポンプ場設備とがある。このうちポンプ場設備においては、汚水を下水処理施設に送水する汚水ポンプ場設備と、雨水を河川に放流する雨水ポンプ場設備とがある。
【０００３】
そして、雨水ポンプ場設備は、図４、図５に示すように、幹線１からの雨水などの流入水を受入れる流入渠２と、流入渠２よりも一段低く掘り下げられて流入渠２を通過した流入水から砂などを沈降させる沈砂池３と、沈砂池３で砂などを除去した流入水を汲み上げる主ポンプ（図示せず）を設置するポンプ井４とを備えている。
【０００４】
上記した流入渠２の入側には、流入ゲート５、および、大きい夾雑物を捕集する前側スクリーン６が設けられている。また、沈砂池３とポンプ井４との間には、小さい夾雑物を捕集する後側スクリーン７、および、流出ゲート８が設けられている。このうち、前側スクリーン６は目幅が約１００ｍｍ程度の粗目の縦ストライプ状（縦縞状）となっている。また、後側スクリーン７は目幅が２５ｍｍ〜５０ｍｍ程度の細目の縦ストライプ状（縦縞状）となっている。
【０００５】
上記の流入渠２は、例えば、図６に示すように、ほぼ水平で平坦な底面１０を有すると共に、入側に対して出側が拡がる漸拡形状部１１，１２を例えば二段備えている。そして、流入渠２における漸拡形状部１１，１２間の平行部１３から沈砂池３へかけて、流入渠２および沈砂池３を複数の流路に仕切る複数の仕切壁１４が設けられている。
【０００６】
なお、流入渠２を設けないようにすることもできるが、流入渠２を設けないと、沈砂池３が相当大規模なものとなってしまうので、沈砂池３の規模を縮小するために、流入渠２は基本的に設けられるようになっている。
【０００７】
上記の沈砂池３は、各流路に、それぞれ、集砂用の砂溜り１５と、ポンプピット１６とを集砂設備として備えている。砂溜り１５は、ポンプピット１６へ向けて傾斜する所要面積の傾斜面を備えると共に、傾斜面に溜まった砂をポンプピット１６へ向けて集砂を行う集砂ノズル１７、ポンプピット１６に溜まった砂をポンプに向かって集砂するポンプピット集砂ノズル（図示せず）、揚砂ポンプ吸込口（図示せず）を撹拌するポンプピット撹拌ノズル（図示せず）を備えている。ポンプピット１６には、揚砂ポンプ１８が揚砂設備として設けられている。
【０００８】
上記ポンプ井４には、揚水用の上記主ポンプ（図示せず）と、沈砂池３の集砂ノズル１７へポンプ井４の滞留水を送給する集砂水ポンプ２１とが設けられている。
【０００９】
【発明が解決しようとする課題】
しかしながら、このような従来の流入渠設備では、以下のような問題があった。
【００１０】
即ち、流入渠２は、沈砂池３での砂などの沈降を効率良く行わせて集砂しやすくするために沈砂池３の入側に設けられるものであり、流入渠２で砂などが沈降されてしまうことがないように設計されているものの、現実には状況によって流入渠２で砂が沈降し、流入渠２に砂が溜まってしまうことがあった。
【００１１】
しかし、流入渠２には、基本的に、砂を集める設備が備えられていないため、流入渠２に溜まった砂を除去することが困難となっていた。
【００１２】
そこで、本発明の目的は、上記の問題点を解消し、流入渠に溜まった砂を除去することのできる流入渠設備を提供することにある。
【００１３】
【課題を解決するための手段】
上記課題を解決するために、請求項１に記載された発明では、幹線と沈砂池との間に設けられた流入渠設備であって、流入渠本体の水平且つ平坦な底面の上に、沈降した砂などを沈砂池へ向けて搬送する搬送装置を設けると共に、該搬送装置が、流入渠本体に形成された案内溝である流入渠設備を特徴としている。
このように構成された請求項１にかかる発明によれば、搬送装置として流入渠本体に形成した案内溝により、沈砂池へ向けて砂を搬送することができる。
請求項２に記載された発明では、幹線と沈砂池との間に設けられた流入渠設備であって、流入渠本体の水平且つ平坦な底面の上に、沈降した砂などを沈砂池へ向けて搬送する搬送装置を設けると共に、該搬送装置が、流入渠本体に形成されたＶ字断面の傾斜面である流入渠設備を特徴としている。
このように構成された請求項２にかかる発明によれば、搬送装置として流入渠本体に形成したＶ字断面の傾斜面により、傾斜面の下側へ砂を集めてから沈砂池へ向けて砂を搬送することができる。
請求項３に記載された発明では、幹線と沈砂池との間に設けられた流入渠設備であって、流入渠本体の水平且つ平坦な底面の上に、沈降した砂などを沈砂池へ向けて搬送する搬送装置を設けると共に、該搬送装置が、流入渠本体に設けられた集砂ノズルである流入渠設備を特徴としている。
このように構成された請求項３にかかる発明によれば、搬送装置として流入渠本体に設けた集砂ノズルを用いることにより、沈砂池へ向けて砂を搬送することができる。
請求項４に記載された発明では、流入渠本体に案内溝が設けられ、該案内溝の両側部にＶ字断面の傾斜面が設けられたことを特徴としている。
このように構成された請求項４にかかる発明によれば、案内溝の両側部にＶ字断面の傾斜面を設けることにより、傾斜面にて案内溝へ砂を集めて、沈砂池へ向けて砂を搬送することができる。
請求項５に記載された発明では、流入渠本体に案内溝が設けられ、該案内溝に前記集砂ノズルが設けられたことを特徴としている。
このように構成された請求項５にかかる発明によれば、案内溝に集砂ノズルを設けることにより、案内溝と集砂ノズルとにより、沈砂池へ向けて砂を搬送することができる。
請求項６に記載された発明では、流入渠本体にＶ字断面の傾斜面が設けられ、該傾斜面に前記集砂ノズルが設けられたことを特徴としている。
このように構成された請求項６にかかる発明によれば、傾斜面に集砂ノズルを設けることにより、傾斜面と集砂ノズルとにより、沈砂池へ向けて砂を搬送することができる。
請求項７に記載された発明では、流入渠本体に案内溝が設けられ、該案内溝の両側部にＶ字断面の傾斜面が設けられ、前記案内溝に前記集砂ノズルが設けられたことを特徴としている。
このように構成された請求項７にかかる発明によれば、両側部にＶ字断面の傾斜面を有する案内溝に集砂ノズルを設けることにより、傾斜面にて案内溝へ砂を集めて集砂ノズルで、沈砂池へ向けて砂を搬送することができる。
請求項８に記載された発明では、前記傾斜面の少なくとも流入渠本体入側における、水平方向を基準とする傾斜角度が４５゜以上であることを特徴としている。
このように構成された請求項８にかかる発明によれば、傾斜面の少なくとも流入渠本体入側における、水平方向を基準とする傾斜角度を４５゜以上としたことにより、砂の安息角を確保し、傾斜面上の砂を確実に傾斜面の下側へ集めることができる。なお、砂の安息角とは、傾斜面に沿って砂が滑り落ちて行くのに必要な角度をいう。一般に、砂の安息角は水平方向を基準として約４５゜とされている。
請求項９に記載された発明では、前記傾斜面の出側の水平方向を基準とする傾斜角度を、入側の水平方向を基準とする傾斜角度よりも小さくしたことを特徴としている。
このように構成された請求項９にかかる発明によれば、傾斜面の出側の水平方向を基準とする傾斜角度を、入側の水平方向を基準とする傾斜角度よりも小さくしたことにより、傾斜面の高さを低く抑えるよう設計することが可能となる。
【００２５】
【発明の実施の形態】
以下、本発明の具体的な実施の形態について、図示例と共に説明する。
【００２６】
図１〜図３は、この発明の実施の形態を示すものである。なお、従来例と同一ないし均等な部分については、同一の符号を付すことにより説明を省略する。
【００２７】
この実施の形態のものでは、流入渠２の本体に沈砂池３へ向けて砂を搬送する搬送装置３１（補助集砂設備）を設ける。
【００２８】
搬送装置３１として、例えば、（既設の）流入渠２の本体の水平且つ平坦な底面１０の上に案内溝３２を形成する。この案内溝３２は、仕切壁１４によって仕切られた各流路に対し、少なくとも１本以上設けるようにする。
【００２９】
この案内溝３２の両側部にＶ字断面の傾斜面３３を形成する。
【００３０】
この傾斜面３３の少なくとも流入渠２の本体入側における水平方向を基準とする傾斜角度αを４５゜またはそれ以上とする。
【００３１】
そして、各傾斜面３３の高さが幹線１に影響のない高さで且つほぼ一定となるようにし、必要に応じて、傾斜面３３出側の水平方向を基準とする傾斜角度βを入側の水平方向を基準とする傾斜角度αよりも小さくなるようにする。
【００３２】
なお、図２では、各流路に対する案内溝３２の本数は、上記各要件を考慮して各２本としている。
【００３３】
また、搬送装置３１として、例えば、集砂ノズル３５を設ける。この集砂ノズル３５は、案内溝３２の内部に、出側へ向けて水を噴射するよう配設する。また、集砂ノズル３５は、案内溝３２の入側部分と、中間部の出側寄りの部分の少なくとも二箇所に設けるようにする。
【００３４】
図３中、符号４０は冷却水槽である。
【００３５】
次に、この実施の形態の作用について説明する。
【００３６】
この実施の形態では、流入渠２の本体に設けた搬送装置３１（補助集砂設備）により、沈砂池３へ向けて砂を搬送することができる。これにより、流入渠２に砂が溜まるのを防止することができる。或いは、流入渠２に溜まった砂を除去することができる。なお、搬送装置３１は、流入渠２に水を流した状態で使用することも、流入渠２の水を抜いた状態で使用することも可能である。
【００３７】
なお、流入渠２では、自然に砂が溜まる場合と、極く稀にではあるが人工的な作用によって砂が溜まる場合とがある。このうち、人工的な作用によって砂が溜まる場合とは、例えば、流入ゲート５を全閉にして、主ポンプを始動させずに放置しておいたような場合を言う。このようにすることにより、流入渠２および沈砂池３における流れがなくなるため、砂が沈降する。
【００３８】
上記搬送装置３１として流入渠２の本体に案内溝３２を形成することにより、案内溝３２を利用して沈砂池３へ向けて砂を搬送することができる。
【００３９】
この際、案内溝３２の両側部にＶ字断面の傾斜面３３を形成することにより、傾斜面３３を介して案内溝３２へ砂を集めることができる。
【００４０】
傾斜面３３の少なくとも流入渠２の本体入側における傾斜角度αを４５゜またはそれ以上としたことにより、砂の安息角を確保し、傾斜面３３上の砂を確実に案内溝３２へ集めることができる。
【００４１】
そして、傾斜面３３の出側の傾斜角度βを入側の傾斜角度αよりも小さくすることにより、流入渠２に漸拡形状部１２が有って出側の流路幅が広くなるような場合であっても、傾斜面３３全体の高さを低く抑えて、幹線１に影響のない高さとすることが可能となる。
【００４２】
更に、案内溝３２の内部に搬送装置３１として集砂ノズル３５を設け、この集砂ノズル３５を用いることにより沈砂池３へ向けて案内溝３２の砂を搬送することができる。
【００４３】
また、既設の流入渠２の本体の底面１０上に案内溝３２、傾斜面３３、集砂ノズル３５などの搬送装置３１を設けることにより、安価且つ簡単に既設の流入渠２を改良することができる。
【００４４】
【発明の効果】
以上説明してきたように、請求項１の発明によれば、搬送装置として流入渠本体に形成した案内溝により、沈砂池へ向けて砂を搬送することができる。
請求項２の発明によれば、搬送装置として流入渠本体に形成したＶ字断面の傾斜面により、傾斜面の下側へ砂を集めてから沈砂池へ向けて砂を搬送することができる。
請求項３の発明によれば、搬送装置として流入渠本体に設けた集砂ノズルを用いることにより、沈砂池へ向けて砂を搬送することができる。
請求項４の発明によれば、案内溝の両側部にＶ字断面の傾斜面を設けることにより、傾斜面にて案内溝へ砂を集めて、沈砂池へ向けて砂を搬送することができる。
請求項５の発明によれば、案内溝に集砂ノズルを設けることにより、案内溝と集砂ノズルとにより、沈砂池へ向けて砂を搬送することができる。
請求項６の発明によれば、傾斜面に集砂ノズルを設けることにより、傾斜面と集砂ノズルとにより、沈砂池へ向けて砂を搬送することができる。
請求項７の発明によれば、両側部にＶ字断面の傾斜面を有する案内溝に集砂ノズルを設けることにより、傾斜面にて案内溝へ砂を集めて集砂ノズルで、沈砂池へ向けて砂を搬送することができる。
請求項８の発明によれば、傾斜面の少なくとも流入渠本体入側における、水平方向を基準とする傾斜角度を４５゜以上としたことにより、砂の安息角を確保し、傾斜面上の砂を確実に傾斜面の下側へ集めることができる。
請求項９の発明によれば、傾斜面の出側の水平方向を基準とする傾斜角度を、入側の水平方向を基準とする傾斜角度よりも小さくしたことにより、傾斜面の高さを低く抑えるよう設計することが可能となる。
【図面の簡単な説明】
【図１】本発明の実施の形態の側方断面図である。
【図２】図１の平面図である。
【図３】図２のＡ−Ａ断面図である。
【図４】従来例の側方断面図である。
【図５】図４の平面図である。
【図６】図５のＢ−Ｂ断面図である。
【符号の説明】
１    幹線
２    流入渠
３    沈砂池
３１  搬送装置
３２  案内溝
３３  傾斜面
３５  集砂ノズル
α    傾斜角度（入側）
β    傾斜角度（出側）
【図１】
0003880367.tif 000002
【図２】
0003880367.tif 000003
【図３】
0003880367.tif 000004
【図４】
0003880367.tif 000005
【図５】
0003880367.tif 000006
【図６】
0003880367.tif 000007